(57)【特許請求の範囲】
【請求項１】
異なるピア無線通信端末からの受信された発見信号の受信パワーレベルに基づいて、ピア発見時間間隔の少なくともいくつかの異なるスロットの間に使用されるべき複数の受信機利得設定を決定することと、なお、前記少なくともいくつかの異なるスロットのうちの特定の個々のスロットの間に使用されるべき受信機利得設定は、どのピアデバイスが特定の個々のスロットにおいて送信すると予期されるか、および、前記特定の個々のスロットにおいて送信することが予期される前記ピア無線通信端末からの以前に受信されたピア発見信号の受信信号パワー、に基づいている、
前記ピア発見時間間隔において第１の信号タイプの信号を受信するために前記決定された受信機利得設定を使用することと、
第２の信号タイプのための第２の受信機利得設定を決定することと、
第２の時間間隔において前記第２の信号タイプの信号を受信するために前記第２の受信機利得設定を使用することと
を含む、無線通信のための方法。
【請求項２】
前記第１の信号タイプの前記信号は、ピア発見信号であり、前記第２の信号タイプの前記信号は、ページング信号である、請求項１に記載の方法。
【請求項３】
前記決定された受信機利得設定を使用して前記第１の信号タイプの信号を受信する前に、ピア発見信号が受信された異なるピア無線通信端末が前記ピア発見時間間隔の間に送信するであろうスロットを決定すること
をさらに含む、請求項２に記載の方法。
【請求項４】
前記受信機利得設定を前記決定することが、
少なくとも１つの以前の時間間隔における前記第１の信号タイプの前記信号の受信パワーレベルを測定することと、
前記第１の信号タイプの前記信号の前記測定受信パワーレベルおよびターゲットパワーレベルに基づいて前記受信機利得設定を決定することと
を含む、請求項１に記載の方法。
【請求項５】
前記ピア発見時間間隔中の前記第１の信号タイプの前記信号の合計受信パワーを測定することと、
前記第１の信号タイプの前記信号の前記合計受信パワーに基づいて前記ピア発見時間間隔中の受信機利得を調整することと
をさらに含む、請求項１に記載の方法。
【請求項６】
前記第２の受信機利得設定を前記決定することが、複数の受信機利得設定を含む所定のパターンに基づいて前記第２の信号タイプの異なる時間間隔における異なる受信機利得設定を選択することを含む、請求項１に記載の方法。
【請求項７】
現在の時間および前記第２の信号タイプの第２の周期的なパターンに基づいて前記第２の信号タイプのための前記第２の時間間隔を決定すること
をさらに含む、請求項１に記載の方法。
【請求項８】
第３の信号タイプのための第３の受信機利得設定を決定することと、
第３の時間間隔において前記第３の信号タイプの信号を受信するために前記第３の受信機利得設定を使用することと
をさらに含む、請求項１に記載の方法。
【請求項９】
基地局から送信された前記第３の信号タイプの前記信号からタイミング情報を得ることと、
前記タイミング情報に基づいて、前記第２の信号タイプのために、前記第２の時間間隔を決定することと
をさらに含む、請求項８に記載の方法。
【請求項１０】
異なるピア無線通信端末からの受信された発見信号の受信パワーレベルに基づいて、ピア発見時間間隔の少なくともいくつかの異なるスロットの間に使用されるべき複数の受信機利得設定を決定するように、なお、前記少なくともいくつかの異なるスロットのうちの特定の個々のスロットの間に使用されるべき受信機利得設定は、どのピアデバイスが特定の個々のスロットにおいて送信すると予期されるか、および、前記特定の個々のスロットにおいて送信することが予期される前記ピア無線通信端末からの以前に受信されたピア発見信号の受信信号パワー、に基づいている、
前記ピア発見時間間隔において第１の信号タイプの信号を受信するために前記決定された受信機利得設定を使用するように、
第２の信号タイプのための第２の受信機利得設定を決定するように、かつ、
第２の時間間隔において前記第２の信号タイプの信号を受信するために前記第２の受信機利得設定を使用するように、
構成された少なくとも１つのプロセッサ
を含む、無線通信のための装置。
【請求項１１】
前記第１の信号タイプの前記信号は、ピア発見信号であり、前記第２の信号タイプの前記信号は、ページング信号である、請求項１０に記載の装置。
【請求項１２】
前記少なくとも１つのプロセッサは、少なくとも１つの以前の時間間隔における前記第１の信号タイプの前記信号の受信パワーレベルを測定するように、かつ、
前記第１の信号タイプの前記信号の前記測定受信パワーレベルおよびターゲットパワーレベルに基づいて前記受信機利得設定を決定するように、構成されている、請求項１０に記載の装置。
【請求項１３】
前記少なくとも１つのプロセッサは、複数の受信機利得設定を含む所定のパターンに基づいて前記第２の信号タイプの異なる時間間隔における異なる受信機利得設定を選択するように構成されている、請求項１０に記載の装置。
【請求項１４】
前記第２の信号タイプは、ページング信号タイプであり、
第２の信号タイプのための第２の受信機利得設定を決定することは、異なるページング時間間隔において使用される受信機利得設定のパターンに基づいて前記第２の受信機利得設定を決定することを含み、
受信機利得設定の前記パターンに基づいて第３の時間間隔における前記第２の信号タイプの信号を受信するために第３の受信機利得設定を決定し、なお、前記第３の時間間隔は別のページング時間間隔であり、前記第３の受信機利得設定は前記第２の受信機利得設定と異なる、
請求項１に記載の方法。
【請求項１５】
無線通信デバイスにおいて使用されるコンピュータ読み取り可能な記憶媒体であって、
少なくとも１つのコンピュータに、異なるピア無線通信端末からの受信された発見信号の受信パワーレベルに基づいて、ピア発見時間間隔の少なくともいくつかの異なるスロットの間に使用されるべき複数の受信機利得設定を決定させるためのコードと、なお、前記少なくともいくつかの異なるスロットのうちの特定の個々のスロットの間に使用されるべき受信機利得設定は、どのピアデバイスが特定の個々のスロットにおいて送信すると予期されるか、および、前記特定の個々のスロットにおいて送信することが予期される前記ピア無線通信端末からの以前に受信されたピア発見信号の受信信号パワー、に基づいている、
少なくとも１つのコンピュータに、前記ピア発見時間間隔において第１の信号タイプの信号を受信するために前記決定された受信機利得設定を使用させるためのコードと、
少なくとも１つのコンピュータに、第２の信号タイプのための第２の受信機利得設定を決定させるためのコードと、
少なくとも１つのコンピュータに、第２の時間間隔において前記第２の信号タイプの信号を受信するために前記第２の受信機利得設定を使用させるためのコードと
を具備する、コンピュータ読み取り可能な記憶媒体。
【請求項１６】
無線通信デバイスであって、
異なるピア無線通信端末からの受信された発見信号の受信パワーレベルに基づいて、ピア発見時間間隔の少なくともいくつかの異なるスロットの間に使用されるべき複数の受信機利得設定を決定するための手段と、なお、前記少なくともいくつかの異なるスロットのうちの特定の個々のスロットの間に使用されるべき受信機利得設定は、どのピアデバイスが特定の個々のスロットにおいて送信すると予期されるか、および、前記特定の個々のスロットにおいて送信することが予期される前記ピア無線通信端末からの以前に受信されたピア発見信号の受信信号パワー、に基づいている、
前記ピア発見時間間隔において第１の信号タイプの信号を受信するために前記決定された受信機利得設定を使用するための手段と、
第２の信号タイプのための第２の受信機利得設定を決定するための手段と、
第２の時間間隔において前記第２の信号タイプの信号を受信するために前記第２の受信機利得設定を使用するための手段と
を具備する、無線通信デバイス。
【請求項１７】
記第１の信号タイプの前記信号は、ピア発見信号であり、前記第２の信号タイプの前記信号は、ページング信号である、請求項１６に記載の無線通信デバイス。
【発明の詳細な説明】
【技術分野】
【０００１】
本開示は、概して通信に関し、より詳細には、無線通信ネットワークにおいて端末で自動利得制御（ＡＧＣ：automatic gain control）を行なうための技法に関する。
【背景技術】
【０００２】
無線通信ネットワークは、音声、映像、パケットデータ、メッセージング、同報通信、等といったさまざまな通信サービスを提供するために広く展開されている。これらの無線ネットワークは、利用可能なネットワークリソースを共有することにより、複数のユーザーのための通信をサポート可能であることができる。そのような無線ネットワークの例は、無線ワイドエリアネットワーク（ＷＷＡＮ）、無線メトロポリタンエリアネットワーク（ＷＭＡＮ）、および無線ローカルエリアネットワーク（ＷＬＡＮ）を含む。
【０００３】
無線通信ネットワークにおいて、端末は、基地局および／または他の端末であることができる送信機からの信号を受信することができる。送信機は、同一または異なるパワーレベルで、それらの信号を送信することができる。さらに、送信機は、端末に対し異なる距離に位置することができ、したがって、端末に対し異なるパスロスを有することができる。端末は、異なる受信パワーレベルで、異なる送信機からの信号を受信することができる。端末は、ＡＧＣを行なうことができ、その受信機の利得を調整することができるので、（ｉ）強い信号は、端末のアナログデジタルコンバータ（ＡＤＣ）のクリッピングを回避するために減衰させられ、（ｉｉ）弱い信号は、全ＡＤＣレンジを占有するために、増幅される。適切な受信機利得を使用することによって、ＡＤＣのクリッピングおよびＡＤＣのクリッピングによる劣化（degradation）の両方が、回避されることができる。したがって、端末で効率よくＡＧＣを行なうことが所望される。
【発明の概要】
【０００４】
無線通信ネットワーク（たとえば、ピアツーピアネットワーク）において端末でＡＧＣを行なうための技法が、ここに説明される。ある態様において、端末は、異なる時間間隔またはフレームにおいて、異なるタイプの信号を受信するために、異なる受信機利得設定を使用することができる。受信機利得設定は、端末によって使用される初期受信機利得であり、端末は、所望の信号レベルを得るためにこの初期受信機利得を変えることができる。１つの設計において、端末は、第１の信号タイプ、たとえば、ピア発見信号(peer discovery signals)に対し、第１の受信機利得設定を決定することができる。端末は、第１の時間間隔、たとえば、ピア発見フレームにおいて、第１の信号タイプの信号を受信するために、第１の受信機利得設定を使用することができる。端末は、第２の信号タイプ、たとえば、ページング信号(paging signal)に対し、第２の受信機利得設定を決定することができる。端末は、第２の時間間隔、たとえば、ページングフレームにおいて、第２の信号タイプの信号を受信するために、第２の受信機利得設定を使用することができる。端末は、以下に説明されるように、第１および第２の信号タイプの特性に基づいて、第１および第２の受信機利得設定を決定することができる。
【０００５】
別の態様において、端末は、ある未来の時間間隔での受信機利得設定を、その時間間隔で送信することが予期されるピア端末（peer terminal）の受信パワーレベルに基づいて、決定することができる。１つの設計において、端末は、少なくとも１つのフレームで複数の端末からの信号（たとえば、ピア発見信号）を受信することができる。各フレームは、複数の時間間隔における複数のリソースブロック(resource block)を有することができる。各端末は、異なるフレームの異なるリソースブロックで送信することができ、ホッピング関数(hopping function)またはパターンに基づいて、それら異なるリソースブロックを選択することができる。端末は、複数の端末から受信された信号の受信パワーレベルを測定することができる。端末は、ホッピング関数および現在の時間の情報に基づいて、複数の端末の中から、未来の時間間隔で送信することが予期される端末のセットを決定することができる。端末は、その端末のセットの測定受信パワーレベルに基づいて、未来の時間間隔でのその端末のセットの予測受信パワーレベルを決定することができる。端末は、予測受信パワーレベルとターゲットパワーレベルとに基づいて、未来の時間間隔での受信機利得設定を決定することができる。端末は、未来の時間間隔で端末のセットからの信号を受信するために、その受信機利得設定を使用することができる。
【０００６】
開示のさまざまな態様および特徴が、以下にさらに詳細に説明される。
【図面の簡単な説明】
【０００７】
【図１】無線通信ネットワークを示す図である。
【図２】ピアツーピア通信のための例示的なメッセージフローを示す図である。
【図３】例示的な送信ストラクチャを示す図である。
【図４】複数の送信機から端末への送信を示す図である。
【図５】異なるタイプの信号についての信号の受信を示す図である。
【図６】時間ホッピングを用いたピア発見信号の送信を示す図である。
【図７】異なるタイプの信号を受信するためのプロセスを示す図である。
【図８】異なるタイプの信号を受信するための装置を示す図である。
【図９】ピア発見信号を受信するためのプロセスを示す図である。
【図１０】ピア発見信号を受信するための装置を示す図である。
【図１１】２つの端末のブロック図である。
【詳細な説明】
【０００８】
ここに説明される技法は、ＷＷＡＮ、ＷＭＡＮ、ＷＬＡＮ、等といったさまざまな無線通信ネットワークのために使用されることができる。「ネットワーク」および「システム」という用語は、しばしば互換的に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、等であることができる。ＣＤＭＡネットワークは、ユニバーサル地上無線アクセス（ＵＴＲＡ）、ｃｄｍａ２０００、等といった無線技術を実現することができる。ＴＤＭＡネットワークは、移動体通信のための世界システム（ＧＳＭ（登録商標））のような無線技術を実現することができる。ＯＦＤＭＡネットワークは、進化型ＵＴＲＡ（Ｅ−ＵＴＲＡ）、ウルトラモバイルブロードバンド（ＵＭＢ）、Flash-OFDM（登録商標）、等といった無線技術を実現することができる。ロングタームエボリューション（ＬＴＥ）は、Ｅ−ＵＴＲＡを使用する「第３世代パートナーシッププロジェクト」（３ＧＰＰ）の近く公開されるリリースであり、それは、ダウンリンクにＯＦＤＭＡを、アップリンクにＳＣ−ＦＤＭＡを用いる。ＷＬＡＮは、（Ｗｉ−Ｆｉとも呼ばれる）ＩＥＥＥ８０２．１１ファミリーの規格の中の１つ以上の規格、Hiperlan、等を実現することができる。ＷＭＡＮは、（ＷｉＭＡＸとも呼ばれる）ＩＥＥＥ８０２．１６ファミリーの規格の中の１つ以上の規格を実現することができる。ここに説明される技法は、上述された無線ネットワークおよび無線技術だけでなく、他の無線ネットワークおよび無線技術のために使用されることができる。
【０００９】
図１は、無線通信ネットワーク１００を示し、それは、多数の基地局および多数の端末を含むことができる。簡潔にするために、１つの基地局１１０と４つの端末１２０ａ、１２０ｂ、１２０ｃ、および１２０ｄのみが図１に示されている。基地局は、端末と通信する固定局であることができ、アクセスポイント、ノードＢ、改良されたノードＢ（ｅＮＢ）、等と呼ばれることもできる。端末１２０は、ネットワーク中に分散されることができ、各端末は、固定または可動であることができる。端末は、アクセス端末、移動局、ユーザー機器（ＵＥ）、加入者ユニット、局、等と呼ばれることもできる。端末は、携帯電話、携帯情報端末（ＰＤＡ）、無線モデム、無線通信デバイス、ハンドへルドデバイス、ラップトップコンピュータ、コードレス電話、無線ローカルループ（ＷＬＬ）局、等であることができる。端末は、基地局と通信することができ、すなわち、基地局から情報（たとえば、タイミング情報）を受信することができる。あるいは、または、さらに、端末は、他の端末とピアツーピアで通信することができる。
【００１０】
図２は、無線ネットワーク１００における２つの端末ＡおよびＢ間のピアツーピア通信のために使用されることができるメッセージフロー２００の設計を示す。はじめに（たとえば、電源投入時）、端末ＡとＢは、各々、基地局１１０からの同報情報を受信することができる（ステップ１）。各端末は、同報情報から、タイミング情報を、ことによると他の情報も得ることができる。端末Ａは、近傍の他の端末に端末Ａを検出させるために、ピア発見信号を周期的に同報することができる（ステップ２）。同様にして、端末Ｂは、近傍の他の端末に端末Ｂを検出させるために、ピア発見信号を周期的に同報することができる（ステップ３）。端末ＡとＢは、ピア発見信号によって、互いの存在を検出することができる。その後、端末ＡとＢは、送るためのデータがあればいつでも、互いをページングすることができる（ステップ４）。その次に、接続が確立されると、端末ＡとＢは、その接続によって、シグナリングおよびトラヒックデータをやり取りすることができる（ステップ５）。
【００１１】
図２は、ピアツーピア通信のために使用されることができる例示的なメッセージフローを示す。一般的に、ピアツーピア通信のためのメッセージフローは、任意の数のメッセージおよび任意のタイプのメッセージを含むことができる。
【００１２】
図３は、無線ネットワーク１００のために使用されることができる送信ストラクチャ３００の設計を示す。送信の時系列は、スーパーフレーム（super frame）単位に分割されることができる。各スーパーフレームは、固定または可変の持続時間をカバーすることができ、多数のフレームに分割されることができる。図３に示された設計において、異なるタイプの信号または情報が、異なるフレームで送られることができる。あるフレームは、基地局からの信号を受信するために使用されることができ、オーバーヘッドフレーム（overhead frame）と呼ばれることができる。あるフレームは、ピア発見信号を送るために使用されることができ、ピア発見フレームと呼ばれることができる。あるフレームは、ページング信号を送るために使用されることができ、ページングフレームと呼ばれることができる。多くの、または、ほとんどのフレームが、データを送るために使用されることができ、データフレームと呼ばれることができる。他のタイプのフレームが定義されることもできる。異なるタイプのフレームは、同一のまたは異なる持続時間を有することができる。
【００１３】
概して、各タイプのフレームは、任意の適切な持続時間だけ離間されることができる。オーバーヘッドフレーム間の間隔は、基地局によって使用される無線技術に拠ることができ、ＵＭＢでは２５ミリセカンド（ｍｓ）、または、他の無線技術ではある他の持続時間であることができる。ピア発見フレーム間の間隔およびページングフレーム間の間隔は、各々、任意の適切な持続時間であることができる。オーバーヘッドフレーム、ピア発見フレーム、およびページングフレームは、同一のまたは異なる周期性を有することができる。各スーパーフレームは、オーバーヘッドフレームを含むことも含まないこともでき、ピア発見フレームを含むことも含まないこともでき、ページングフレームを含むことも含まないこともできる。
【００１４】
図３は、また、ピア発見フレームの設計を示す。この設計において、ピア発見フレームは、１乃至Ｎのインデックスを付したＮ個のスロットに分割され、ここでＮは、任意の整数値であることができる。各スロットは、Ｓ個のシンボル期間を含み、ここでＳは任意の整数値であることができる。システム帯域幅は、直交周波数分割多重（ＯＦＤＭ）またはシングルキャリア周波数分割多重（ＳＣ−ＦＤＭ）によって、複数（Ｋ個）のサブキャリアに分割されることができる。１乃至Ｍのインデックスを付したＭ個のサブキャリアセットが定義されることができ、ここでＭ≦Ｋである。各サブキャリアセットは、１つ以上のサブキャリアを含むことができる。リソースブロックは、ピア発見フレームにおける利用可能なスロットおよびサブキャリアセットに基づいて定義されることができる。図３に示した設計において、１つのリソースブロックは、１つのスロットにおける１つのサブキャリアセットをカバーしている。ピア発見フレーム内の各リソースブロックは、インデックス（ｍ，ｎ）によって一意的に識別されることができ、それは、サブキャリアセットのインデックスｍとスロットのインデックスｎとで構成されている。リソースブロックは、そのピア発見信号を送るために１つの端末によって使用されることができる。複数の端末が同一のリソースブロックでそれらのピア発見信号を送ると、衝突が起こる。
【００１５】
所与の端末Ａは、１つ以上の送信機からの信号を受信することができる。端末Ａは、端末ＡのＡＤＣのための所望の入力信号レベルを得るために、ＡＧＣを行なうことができる。
【００１６】
図４は、Ｋ個の送信機１乃至Ｋから端末Ａへの送信を示し、Ｋは、１以上であることができる。各送信機は、無線チャネルを介して特定の送信パワーレベルで信号を送信することができる。端末Ａは、各送信機からの信号を、その信号の送信パワーレベルと、その送信機から端末Ａへのパスロスとによって決定された受信パワーレベルで、受信することができる。端末Ａは、Ｋ個のすべての送信機からの信号を含み、ＰＲＸの受信パワーレベルを有する、受信信号を得ることができる。端末Ａは、受信機利得ｇによって受信信号をスケーリング（scale）（たとえば、増幅または減衰）することができ、入力パワーレベルＰＩＮを有するＡＤＣ入力信号を得ることができる。端末Ａは、受信機利得が１より大きい場合に受信信号を増幅することができ、または、受信機利得が１より小さい場合に受信信号を減衰させることができる。
【００１７】
端末Ａは、ＡＤＣ入力信号のターゲットパワーレベルを得るためにＡＧＣを行なうことができる。ＡＧＣにより、端末Ａは、（ｉ）入力パワーレベルがターゲットパワーレベルよりも小さい場合に受信機利得を増加させることができ、（ｉｉ）入力パワーレベルがターゲットパワーレベルよりも大きい場合に受信機利得を減少させることができる。
【００１８】
端末Ａは、異なる送信機から異なるタイプの信号を受信することができる。各送信機は、基地局または別の端末であることができる。端末Ａは、各タイプの信号を、その信号タイプのために使用されるフレームで受信することができる。
【００１９】
図５は、端末Ａによる信号の受信の設計を示す。端末Ａは、ＴＯＨ秒の間隔だけ離間されることができるオーバーヘッドフレームで、基地局からの同報信号を受信することができる。同報信号は、ビーコン信号、同期信号、パイロット信号、同報および制御チャネルを搬送するフォワードリンク信号、等であることができる。端末Ａは、同報信号からタイミングおよび／または他の情報を得ることができる。
【００２０】
端末Ａは、ＴＰＤＳ秒の間隔だけ離間されることができるピア発見フレームで、他の端末からのピア発見信号を受信することができる。各端末は、異なるピア発見フレーム中の異なるリソースブロックで、そのピア発見信号を送信することができ、すべての端末に既知であることができるホッピング関数に基づいて、これらのリソースブロックを選択することができる。端末Ａは、端末Ａによってすでに発見されているピア端末によって使用されたリソースブロックを把握可能であることができ、これらのリソースブロックにおけるこれらの端末からのピア発見信号を検出することができる。端末Ａは、そのピア発見信号を送信するために端末Ａによって使用されていないスロットにおける、新たな端末からのピア発見信号を検出することもできる。
【００２１】
端末Ａは、ＴＰＳ秒の間隔だけ離間されることができるページングフレームで、他の端末からのページング信号を受信することができる。端末Ａは、端末Ａがすでに発見している別の端末に、端末Ａがその端末と通信することを望むときにはいつでも、ページング信号を送信することができる。同様にして、他の端末は、それらが端末Ａと通信することを望むときにはいつでも、端末Ａにページング信号を送信することができる。端末Ａは、各ページングフレームにおいて他の端末からのページング信号を検出することができる。
【００２２】
端末Ａは、任意の量だけ離間されることができるデータフレームで、他の端末からのデータ信号を受信することができる。端末Ａは、端末Ａをページングした他の端末からのデータ信号を受信することができ、したがって、データ信号の送信者を知っていることができる。データ送信は、端末Ａがデータ信号を受信すべきときがわかるように、スケジューリングされることもできる。
【００２３】
図５に示したように、端末Ａは、異なるフレームで異なるタイプの信号を受信することができる。端末Ａは、送信ストラクチャに基づいて、各タイプの信号を予期すべきときを知ることができる。各信号タイプによって、端末Ａは、端末Ａが受信する可能性のある信号の、実際の、および／または、もっともらしい送信機を知ることもできる。端末Ａは、受信性能を向上させるために、この知識に基づいてＡＧＣを行なうことができる。
【００２４】
ある態様において、端末Ａは、異なるフレームで受信された異なるタイプの信号のために、異なる受信機利得設定を使用することができる。受信機利得設定は、受信機利得モード、ＡＧＣ利得設定、ＡＧＣモード、等と呼ばれることもできる。各信号タイプのために、端末Ａは、１つ以上の以前のフレームにおけるそのタイプの信号の受信パワーレベルを測定することができる。そして、端末Ａは、（単数または複数の）以前のフレームにおける測定受信パワーレベルに基づいて、次のフレームでそのタイプの信号を受信するために使用する１つ以上の受信機利得設定を決定することができる。（単数または複数の）受信機利得設定が適切に選択されると、端末Ａは、大量ではなく少量だけその受信機利得を調整する必要があるだけでよく、性能を向上させることができる。端末Ａは、以下に説明するように、各信号タイプのための１つ以上の受信機利得設定を、そのタイプの信号の特性に基づいて決定することができる。
【００２５】
同報信号について、端末Ａは、端末Ａが大幅に移動しない限り、各オーバーヘッドフレームで同一の基地局セットからの同報信号を受信することを予期することができる。端末Ａは、各オーバーヘッドフレームでの同報信号の受信パワーレベルを測定することができる。１つの設計において、端末Ａは、以下のように、直近のオーバーヘッドフレームの受信パワーレベルに基づいて、次のオーバーヘッドフレームのための受信機利得設定を決定することができる。
【数１】
0005475013.tif 000002
【００２６】
ここで、ＰＢＳ＿ＲＸ（ｔ）は、オーバーヘッドフレームｔでの同報信号の受信パワーレベルであり、
ＰＢＳ＿ｔａｒｇｅｔは、同報信号のターゲットパワーレベルであり、
ｇＢＳ（ｔ＋ｔ）は、オーバーヘッドフレームｔ＋１での同報信号のための受信機利得設定である。
【００２７】
パワーおよび利得は、式（１）および以下の説明のほとんどにおいて線形ユニットで与えられる。
【００２８】
式（１）で示した設計において、受信機利得設定は、同報信号の受信パワーレベルが、受信機利得の適用後に同報信号のターゲットパワーレベルに近づくように、選択される。別の設計において、端末Ａは、フィルタリングされた受信パワーレベル、
【数２】
0005475013.tif 000003
【００２９】
を得るために、各オーバーヘッドフレームでの受信パワーレベルを測定することができ、異なるオーバーヘッドフレームにわたる受信パワーレベルを平均することができる。平均することは、有限インパルス応答（ＦＩＲ：finite impulse response）フィルタ、無限インパルス応答（ＩＩＲ：infinite impulse response）フィルタ、等に基づくことができる。そして、端末は、直近のオーバーヘッドフレームでの（測定受信パワーレベルではなく）フィルタリングされた受信パワーレベルに基づいて、次のオーバーヘッドフレームのための受信機利得設定を決定することができる。
【００３０】
概して、端末Ａは、１つ以上の以前のオーバーヘッドフレームでの受信パワーレベルに基づいて、次のオーバーヘッドフレームのための受信機利得設定を決定することができる。端末Ａがオーバーヘッドフレーム間に、移動しない、または少しだけ移動する場合、次のオーバーヘッドフレームでの受信パワーレベルは、（単数または複数の）以前のオーバーヘッドフレームでの受信パワーレベルに基づいて正確に予測されることができる。そして、端末Ａは、予測受信パワーレベルに基づいて、次のオーバーヘッドフレームにとって適切な受信機利得設定を適用することができる。
【００３１】
ピア発見信号について、端末Ａは、どのピア端末が端末Ａによって発見されているかの知識を有する。端末Ａは、１つ以上の以前のピア発見フレームでの各ピア端末からのピア発見信号の受信パワーレベルを決定することができる。端末Ａは、フレームタイミング(frame timing)の知識およびホッピング関数に基づいて、次のピア発見フレームにおける、ピア端末がそれらのピア発見信号を送信するであろうスロットを決定することができる。そして、端末Ａは、次のピア発見フレームにおける各スロットでの受信パワーレベルを、（ｉ）どのピア端末がそのスロットで送信しそうであるかの知識と、（ｉｉ）そのスロットで送信しそうな各ピア端末の受信パワーレベルとに基づいて、予測することができる。そして、端末Ａは、以下に説明されるように、そのスロットでの予測受信パワーに基づいて、次のピア発見フレームにおける各スロットでの受信機利得設定を決定することができる。
【００３２】
ページング信号について、端末Ａは、どのピア端末が端末Ａをページングする可能性があるかの知識を有するが、（たとえあったとしても）これらのピア端末のうちのどれが次のページングフレームで実際に端末Ａをページングするかを知ることはできない。１つの設計において、端末Ａは、最大受信機利得設定、最小受信機利得設定、またはある他の受信機利得設定であることができる、所定の受信機利得設定ｇＰＳを使用することができる。各ピア端末は、（ｉ）端末Ａによって使用される受信機利得設定と、（ｉｉ）そのピア端末から端末Ａへのパスロスとを知ることができる。パスロスは、端末Ａから受信されたピア発見信号に基づいて推定されることができる。各ピア端末は、以下のように、ページング信号用のその送信パワーを設定することができる。
【数３】
0005475013.tif 000004
【００３３】
ここで、ＰＰＳ＿ｔａｒｇｅｔは、ページング信号用のターゲットパワーレベルであり、
ＰＬｋは、ピア端末ｋから端末Ａへのパスロスであり、
ｇＰＳは、ページング信号用に端末Ａによって使用される受信機利得設定であり、
ＰＰＳ＿ＴＸ，ｋは、ピア端末ｋからのページング信号用の送信パワーレベルである。
【００３４】
式（２）で示した設計において、送信パワーレベルは、ピア端末ｋからのページング信号の受信パワーレベルが、受信機利得ｇＰＳによるスケーリング後に、端末Ａでのページング信号用のターゲットパワーレベルに近づくように、選択される。
【００３５】
端末Ａは、すべてのピア端末からのページング信号を受信するために、単一の受信機利得設定を使用することができる。端末Ａが最大受信機利得設定を使用する場合、隣接端末は、端末ＡのＡＤＣをクリッピングすることを回避するために、非常に低いパワーレベルで送信する必要があり得る。隣接端末は、そのような低いパワーレベルで送信可能でないことがあり得る。逆に、端末Ａが最小受信機利得設定を使用する場合、遠くの端末は、端末Ａによって十分なパワーレベルで受信されるために、非常に高いパワーレベルで送信する必要があり得る。遠くの端末は、そのようなパワーレベルで送信可能でないことがあり得る。
【００３６】
別の設計において、端末Ａは、ピア端末からのページング信号を受信するために、異なるページングフレームで異なる受信機利得設定を使用することができる。異なるページングフレームでの受信機利得設定は、ピア端末によって既知であることができるパターンに基づいて選択されることができる。そのパターンは、複数の受信機利得設定を含むことができ、端末Ａは、そのパターンを繰り返すことができ、各ページングフレームで異なる受信機利得設定を使用することができる。たとえば、そのパターンは、高い受信機利得設定、中間の受信機利得設定、低い受信機利得設定を含むことができる。端末Ａは、ページングフレームｔで高い受信機利得設定を、ページングフレームｔ＋１で中間の受信機利得設定を、ページングフレームｔ＋２で低い受信機利得設定を、ページングフレームｔ＋３で高い受信機利得設定に戻って、使用することができる。ピア端末は、既知のパターンとその端末から端末Ａへのパスロスとに基づいて、端末Ａにページング信号を送るための適切なページングフレームを選択することができる。ピア端末は、式（２）に示したように、選択されたページングフレームでの受信機利得設定、パスロス、およびターゲットパワーレベルに基づいて、ページング信号の送信パワーレベルを決定することもできる。
【００３７】
データ信号について、端末Ａは、どのピア端末が次のデータフレームで端末Ａにデータ信号を送信するかの知識を有することができる。そして、端末Ａは、ピア端末からのデータ信号が、端末Ａでのデータ信号のターゲットパワーレベルで、または、ほぼそれで、受信されるように、受信機利得設定を選択することができる。
【００３８】
図５を参照すると、端末Ａは、オーバーヘッドフレームｔで受信機利得設定ｇＢＳ（ｔ）を、ピア発見フレームｔで受信機利得ｇＰＤＳ，ｎ（ｔ）を、ページングフレームｔで受信機利得設定ｇＰＳ，ｎ（ｔ）を、データフレームｔで受信機利得設定ｇＤＳ，ｎ（ｔ）を使用することができる。簡潔にするために、同一のフレームインデックスｔがすべての信号タイプのために使用されている。各信号タイプについて、フレームインデックスｔは、その信号タイプのフレームが現れるたびに増加させられることができる。異なる信号タイプのフレームインデックスは、どれほど頻繁にこれらの信号タイプのフレームが現れるかによって、同一の割合または異なる割合で更新されることができる。異なる信号タイプのための受信機利得設定は、上述したように決定されることができる。
【００３９】
各タイプの信号について、端末Ａは、その信号タイプのフレームの開始時に、初期受信機利得としてその信号タイプのために決定された受信機利得設定を使用することができる。端末Ａは、ＡＧＣを行なうことができ、（ｉ）ＡＤＣでの入力パワーレベルがターゲットパワーレベルよりも低い場合には受信機利得を増加し、（ｉｉ）該入力パワーレベルがターゲットパワーレベルよりも高い場合には受信機利得を減じることができる。端末Ａは、上述したように、その信号タイプの受信パワーレベルを測定することができ、次のフレームでの受信機利得設定を決定するために、測定受信パワーレベルを使用することができる。端末Ａは、現在のフレームでの最終受信機利得を記録することもでき、この受信機利得を、次のフレームでの受信機利得設定として使用することができる。
【００４０】
別の態様において、端末Ａは、ピア発見フレーム中の各スロットでの受信機利得設定を、そのスロットで送信することが予期されるピア端末の受信パワーレベルに基づいて、決定することができる。各端末は、他の端末からのピア発見信号との衝突を減少またはランダム化するために、異なるピア発見フレーム中の異なるリソースブロックで、そのピア発見信号を送信することができる。各端末は、既知のフレームタイミング、ホッピング関数、およびホッピング関数の１つ以上のパラメータ値に基づいて、異なるリソースブロックを選択することができる。すべての端末は、（アプリオリ(a priori)に既知であることができるか、端末にシグナリングされることができる）ホッピング関数だけでなく、（基地局１１０またはある他の共通タイムソースから得ることができる）フレームタイミングの知識を有することができる。端末Ａは、所与のピア端末によって使用された（単数または複数の）パラメータ値を、そのピア端末からのピア発見信号を検出すると、決定可能であることができる。そして、端末Ａは、各発見されたピア端末によって使用されるリソースブロックを、既知のフレームタイミング、ホッピング関数、および、そのピア端末の（単数または複数の）パラメータ値に基づいて決定可能であることができる。
【００４１】
１つの設計において、各端末は、以下のように、各ピア発見フレーム中のリソースブロックを選択することができる。
【数４】
0005475013.tif 000005
【００４２】
ここで、ｍ０は、第１のピア発見フレームｔ＝０のために選択された初期サブキャリアセットであり、
ｎ０は、第１のピア発見フレームのために選択された初期スロットであり、
Δｍは、１つのフレームから次のフレームでのサブキャリアのオフセットまたはサブキャリアセットの変化であり、
Δｎは、１つのフレームから次のフレームでのスロットのオフセットまたはスロットの変化であり、
ｆｍ（ｘ）およびｆｎ（ｘ）は、ｘで表された１つ以上のパラメータの関数であり、
ｍｔは、フレームｔにおいてピア発見信号のために使用されたサブキャリアセットであり、
ｎｔは、フレームｔにおいてピア発見信号のために使用されたスロットであり、
「ｍｏｄ」は、モジュロ演算を表す。
【００４３】
式（３ａ）および（３ｂ）での加算およびモジュロ演算は、それぞれ、サイズＭおよびＮのガロアフィールド（Garois fields）で行なわれることができる。式（３ａ）および（３ｂ）での「＋１」は、図３に示したように、０ではなく１から始まるインデックスの使用によるものである。
【００４４】
リソースユニット（ｍｔ，ｎｔ）は、ピア発見フレームｔにおいて、ピア発見信号のために使用されることができる。端末は、さまざまな方法で、第１のピア発見フレームｔ＝０の初期サブキャリアセットｍ０および初期スロットｎ０を選択することができる。１つの設計において、端末は、初期リソースブロック（ｍ０，ｎ０）を擬似ランダムに選択することができる。別の設計において、端末は、１つ以上のピア発見フレーム中の各リソースブロックの受信パワーを測定することができ、初期リソースブロック（ｍ０，ｎ０）として、最も低い受信パワーのリソースブロックを選択することができる。任意のケースにおいて、インデックスｍ０およびｎ０は、式のセット（３）によって定義されたホッピング関数のためのパラメータ値と考えられることができる。
【００４５】
式のセット（３）で示した設計において、各後続フレームで使用するためのサブキャリアセットｍｔ＋１は、先行するフレームで使用されたサブキャリアセットｍｔからのオフセットΔｍによって計算されることができる。各後続フレームで使用するためのスロットｎｔ＋１は、先行するフレームで使用されたスロットｎｔからのオフセットΔｎによって計算されることができる。このように、選択されるサブキャリアセットは、フレームにわたって一定量Δｍだけシフトし、選択されるスロットは、フレームにわたって一定量Δｎだけシフトする。ΔｍおよびＭは、Ｍ個のすべてのサブキャリアセット１乃至ＭがＭ個の連続するフレームで選択されるように、互いに素であることができる。Δｍは、周波数ホッピングできないようにするためにゼロに等しいこともできる。ΔｎおよびＮは、Ｎ個のすべての異なるスロット１乃至ＮがＮ個の連続するフレームで選択されるように、互いに素であることができる。
【００４６】
１つの設計において、端末Ａは、ピア端末からのピア発見信号の受信パワーレベルを測定することができる。そして、端末Ａは、以下の例によって説明するように、測定受信パワーレベルに基づいて、各ピア発見フレーム中の各スロットでの適切な受信機利得設定を決定することができる。
【００４７】
図６は、時間および周波数ホッピングを用いたピア発見信号の例示的な送信を示す。この例において、各ピア発見フレームは、３個のスロット１、２、３において３個のサブキャリアセット１、２、３によって形成された９個のリソースブロックを含む。９個の端末１乃至９が、各ピア発見フレーム中の９個のリソースブロックで、それらのピア発見信号を送信することができる。図６において、各リソースブロック（ｍ，ｎ）は、ピア発見信号のためにそのリソースブロックを使用する端末を表すラベルｋを有し、ここで、ｍ∈｛１，２，３｝、ｎ∈｛１，２，３｝、およびｋ∈｛１，．．．，９｝である。たとえば、端末５は、ピア発見フレームｔにおけるリソースブロック｛２，２｝と、ピア発見フレームｔ＋１におけるリソースブロック（３，１）と、ピア発見フレームｔ＋２におけるリソースブロック（１，３）とを使用する。
【００４８】
端末Ａは、ピア発見フレームｔにおける端末１乃至９からのピア発見信号の受信パワーレベルを測定することができる。端末Ａは、ピア発見フレームｔ＋１における各ピア端末による使用リソースブロックを、既知のホッピング関数、既知のフレームタイミング、および、１つ以上の以前のピア発見フレームでそのピア端末によって使用された（単数または複数の）リソースブロックに基づいて、把握可能であることができる。そして、端末Ａは、以下のように、端末１乃至９について測定受信パワーレベルに基づいて、ピア発見フレームｔ＋１における各スロットでの予測受信パワーレベルを計算することができる。
【数５】
0005475013.tif 000006
【００４９】
ここで、ＰＲＸ，ｋ（ｔ）は、ピア発見フレームｔにおけるピア端末ｋからのピア発見信号の測定受信パワーレベルであり、
ＰＰＲＥ，ｎ（ｔ＋１）は、ピア発見フレームｔ＋１におけるスロットｎでの予測受信パワーレベルである。
【００５０】
式のセット（４）で示した設計において、端末Ａは、各ピア端末が、次のピア発見フレームｔ＋１において、以前のピア発見フレームｔと同一のパワーレベルで受信されるであろうと想定することができる。そして、ピア発見フレームｔ＋１における各スロットでの予測受信パワーレベルは、そのスロットで受信されることが予期されるすべてのピア端末のピア発見信号の受信パワーレベルの合計として計算されることができる。
【００５１】
別の設計において、端末Ａは、各ピア発見フレームでの各ピア端末ｋの受信パワーレベルを測定することができ、ピア端末ｋのフィルタリングされた受信パワーレベルを得るために、異なるピア発見フレームにわたる測定受信パワーレベルを平均することができる。そして、端末Ａは、各スロットでの予測受信パワーレベルを、そのスロットで受信されることが予期されるピア端末のフィルタリングされた受信パワーレベルに基づいて、計算することができる。
【００５２】
概して、端末Ａは、以下のように、各スロットでの予測受信パワーレベルを計算することができる。
【数６】
0005475013.tif 000007
【００５３】
ここで、Ｓｎ（ｔ＋１）は、ピア発見フレームｔ＋１のスロットｎで受信されることが予期される端末のセットである。
【００５４】
端末Ａは、以下のように、ピア発見フレームｔ＋１における各スロットでの受信機利得設定を決定することができる。
【数７】
0005475013.tif 000008
【００５５】
ここで、ＰＰＤＳ＿ｔａｒｇｅｔは、ピア発見信号のターゲットパワーレベルであり、
ｇＰＤＳ，ｎ（ｔ＋１）は、ピア発見フレームｔ＋１におけるスロットｎでのピア発見信号の受信機利得設定である。
【００５６】
端末Ａは、ピア発見フレームｔ＋１における各スロットのための１つの受信機利得設定を得ることができる。各スロットのための受信機利得設定は、たとえば、式（５）で示したように、そのスロットで受信されることが予期されるピア端末の受信パワーレベルによることができる。各スロットでの受信機利得設定は、そのスロットでの合計受信パワーレベルが、受信機利得によるスケーリング後に、ターゲットパワーレベルに、またはそれに近づくようにすることができる。受信機利得設定は、初期受信機利得であることができ、端末ＡのＡＤＣのための所望の入力信号レベルを得るために実際の受信パワーレベルに基づいて調整されることができる。
【００５７】
端末Ａは、ピア発見フレームｔ＋１におけるＮ個のスロットのためのＮ個の受信機利得設定を得ることができる。これらの受信機利得設定は、同様であることも広い範囲で異なることもできる。端末Ａは、各スロットのための受信機利得設定を、そのスロットでピア発見信号を受信するために、使用することができる。向上した検出性能が、各スロットでのＡＤＣクリッピングを回避しながら所望のＡＤＣ入力信号レベルを提供できる受信機利得設定を使用することにより、得られることができる。
【００５８】
端末Ａは、各ピア発見フレームの受信機利得設定を更新することができる。端末Ａは、ピア発見フレームｔ＋１における各スロットで受信されたピア発見信号の受信パワーレベルを測定することができる。図６に示した例で、端末Ａは、以下のように、後続のピア発見フレームｔ＋２における各スロットの受信機利得設定を決定することができる。
【数８】
0005475013.tif 000009
【００５９】
概して、端末Ａは、１つ以上のピア発見フレームでのピア端末からのピア発見信号の受信パワーレベルを測定することができる。端末Ａは、既知のホッピング関数、既知のフレームタイミング、および、そのピア端末からピア発見信号が検出された１つ以上のリソースブロックに基づいて、未来においてピア発見信号を送るためのスループット（throughput）に関し各ピア端端末Ａは、既知のホッピング関数、既知のフレームタイミング、および、そのピア端末からピア発見信号が検出された１つ以上のリソースブロックに基づいて、未来においてピア発見信号を送るためのスループット（throughput）のために各ピア端末によって使用されるリソースブロックを把握することができる。末によって使用されるリソースブロックを把握することができる。端末Ａは、未来のピア発見フレームにおける各スロットでの予測受信パワーレベルを、そのスロットで受信されることが予期されるすべてのピア端末の測定受信パワーレベルに基づいて、決定することができる。そして、端末Ａは、未来のピア発見フレームにおける各スロットでの受信機利得設定を、そのスロットでの予測受信パワーレベルおよびターゲットパワーレベルに基づいて、計算することができる。
【００６０】
図７は、無線通信ネットワーク、たとえば、ピアツーピアネットワークにおいて異なるタイプの信号を受信するためのプロセス７００の設計を示す。プロセス７００は、（以下に説明されるように）端末、またはある他のエンティティによって、行なわれることができる。端末は、第１の信号タイプのための第１の受信機利得設定を決定することができる（ブロック７１２）。端末は、第１の時間間隔で第１の信号タイプの信号を受信するために第１の受信機利得設定を使用することができる（ブロック７１４）。端末は、第２の信号タイプのための第２の受信機利得設定を決定することができる（ブロック７１６）。端末は、第２の時間間隔で第２の信号タイプの信号を受信するために第２の受信機利得設定を使用することができる（ブロック７１８）。第１および第２の時間間隔は、（たとえば、図３および図５に示したように）異なるタイプのフレーム、または、いくつかの他の時間ユニットに対応することができる。
【００６１】
１つの設計において、第１の信号タイプの信号は、ピア発見信号を含むことができ、第２の信号タイプの信号は、ページング信号を含むことができる。ブロック７１２の１つの設計において、端末は、少なくとも１つの以前の時間間隔における第１の信号タイプの信号の受信パワーレベルを測定することができる。そして、端末は、第１の信号タイプの信号の測定受信パワーレベルおよびターゲットパワーレベルに基づいて、第１の受信機利得設定を決定することができる。ブロック７１６の１つの設計において、端末は、複数の受信機利得設定を含む所定のパターンに基づいて、第２の信号タイプのための異なる時間間隔での異なる受信機利得設定を選択することができる。端末は、他の方法で第１および第２の受信機利得設定を決定することもできる。端末は、その時間間隔中に各信号タイプのためにＡＧＣを行なうこともできる。たとえば、端末は、第１の時間間隔中の第１の信号タイプの信号についての合計受信パワーを測定することができ、合計受信パワーに基づいて、第１の時間間隔中の受信機利得を調整することができる。端末は、ピア端末を発見するために第１の時間間隔において第１の信号タイプの信号を検出することができる。端末は、第２の時間間隔において、以前に発見された端末からの第２の信号タイプの信号を検出することができる。
【００６２】
端末は、現在の時間と第１の信号タイプの第１の周期的なパターンに基づいて、第１の信号タイプのための第１の時間間隔を決定することができる。端末は、現在の時間と第２の信号タイプの第２の周期的なパターンに基づいて、第２の信号タイプのための第２の時間間隔を決定することができる。端末は、たとえば、図３に示したようなネットワークによって使用される送信またはフレームストラクチャに基づいて、第１および第２の時間間隔を決定することもできる。
【００６３】
第１および第２の信号タイプは、他のタイプの信号用であることもできる。端末は、１つ以上の追加の信号タイプのための１つ以上の追加の受信機利得設定を決定することもできる。端末は、別の時間間隔において、対応する信号タイプの信号を受信するために、各々の追加の受信機利得設定を使用することができる。たとえば、端末は、同報信号のための第３の受信機利得設定を決定することができ、第３の時間間隔で基地局からの同報信号を受信するために第３の受信機利得設定を使用することができる。端末は、同報信号からタイミング情報を得ることができ、タイミング情報に基づいて第１および第２の信号タイプのために第１および第２の時間間隔を決定することができる。
【００６４】
図８は、異なるタイプの信号を受信するための装置８００の設計を示す。装置８００は、第１の信号タイプのための第１の受信機利得設定を決定するためのモジュール８１２と、第１の時間間隔で第１の信号タイプの信号を受信するために第１の受信機利得設定を使用するためのモジュール８１４と、第２の信号タイプのための第２の受信機利得設定を決定するためのモジュール８１６と、第２の時間間隔で第２の信号タイプの信号を受信するために第２の受信機利得設定を使用するためのモジュール８１８とを含む。
【００６５】
図９は、無線通信ネットワーク、たとえば、ピアツーピアネットワークにおいて信号を受信するためのプロセス９００の設計を示す。プロセス９００は、（以下に説明するように）端末またはある他のエンティティによって行なわれることができる。端末は、少なくとも１つの以前の時間間隔における端末のセットの受信パワーレベルを測定することができる（ブロック９１２）。各時間間隔は、上述したスロットまたはある他の時間ユニットに対応することができる。端末は、たとえば、式（５）で示したように、端末のセットの測定受信パワーレベルに基づいて、未来の時間間隔における端末のセットの予測受信パワーレベルを決定することができる（ブロック９１４）。端末は、たとえば、式（６）で示したように、予測受信パワーレベルおよびターゲットパワーレベルに基づいて、未来の時間間隔での受信機利得設定を決定することができる（ブロック９１６）。端末は、未来の時間間隔において端末のセットから信号（たとえば、ピア発見信号）を受信するために、受信機利得設定を使用することができる（ブロック９１８）。
【００６６】
１つの設計において、端末は、少なくとも１つのフレームで複数の端末からの信号を受信することができ、各フレームは、複数の時間間隔またはスロットを含む。各端末は、異なるフレーム中の異なる時間間隔で送信することができ、ホッピング関数に基づいて異なる時間間隔を選択することができる。ホッピング関数は、信号発生の周期的なパターンを定義することができる。別の設計において、端末は、少なくとも１つのフレームで複数の端末からの信号を受信することができ、各フレームは、複数の時間間隔またはスロットにおいて複数のサブキャリアセットによって形成された複数のリソースブロックを含む。各端末は、異なるフレーム中の異なるリソースブロックで送信することができ、ホッピング関数に基づいて異なるリソースブロックを選択することができる。両方の設計で、端末は、複数の端末から受信された信号の受信パワーレベルを測定することができる。端末は、ホッピング関数および現在の時間の情報に基づいて、複数の端末の中から端末のセットを決定することができる。端末は、未来の時間間隔において、その端末のセットから信号を受信することを予期することができる。
【００６７】
たとえば、端末のセットは、図６に示した例における端末３、４、および８を含むことができる。端末は、フレームｔのスロット１、２、３に対応する以前の時間間隔での端末３、４、８の受信パワーレベルを測定することができる。端末は、これらの端末の測定受信パワーレベルに基づいて、フレームｔ＋１のスロット２に対応する未来の時間間隔での端末３、４、８の予測受信パワーレベルを決定することができる。そして、端末は、予測受信パワーレベルおよびターゲットパワーレベルに基づいて未来の時間間隔での受信機利得設定を決定することができる。
【００６８】
１つの設計において、端末は、セット内の各端末の直近の測定受信パワーレベルに基づいて、端末のセットの予測受信パワーレベルを決定することができる。別の設計において、端末は、複数の時間間隔にわたる各端末の測定受信パワーレベルをフィルタリングして、その端末のフィルタリングされた受信パワーレベルを得ることができる。そして、端末は、フィルタリングされた受信パワーレベルに基づいて、端末のセットの予測受信パワーレベルを決定することができる。
【００６９】
ブロック９１８の１つの設計において、端末は、受信機利得設定に基づいて（たとえば、それに等しく）受信機利得を設定することができる。端末は、その受信機利得にしたがって受信信号をスケーリング（たとえば、増幅または減衰）し、スケーリングされた信号を得ることができる。１つの設計において、端末は、ＡＧＣを行なうことができ、所定の範囲内にスケーリングされた信号を維持するように受信機利得を調整することができる。別の設計において、端末は、ＡＧＣを行なわず、すべての未来の時間間隔のためにその受信機利得設定を使用する。１つの設計において、端末は、未来の時間間隔中にＡＧＣを行なうことができる。たとえば、端末は、未来の時間間隔中に端末のセットの合計受信パワーを測定することができ、合計受信パワーに基づいて、未来の時間間隔中の受信機利得を調整することができる。
【００７０】
図１０は、信号を受信するための装置１０００の設計を示す。装置１０００は、少なくとも１つの以前の時間間隔における端末のセットの受信パワーレベルを測定するためのモジュール１０１２と、端末のセットの測定受信パワーレベルに基づいて未来の時間間隔における端末のセットの予測受信パワーレベルを決定するためのモジュール１０１４と、予測受信パワーレベルおよびターゲットパワーレベルに基づいて未来の時間間隔での受信機利得設定を決定するためのモジュール１０１６と、未来の時間間隔において端末のセットから信号（たとえば、ピア発見信号）を受信するために受信機利得設定を使用するためのモジュール１０１８とを含む。
【００７１】
図８および図１０のモジュールは、プロセッサ、電子デバイス、ハードウェアデバイス、電子コンポーネント、論理回路、メモリ、ソフトウェアコード、ファームウェアコード、等、またはそれらの任意の組み合わせを含むことができる。
【００７２】
図１１は、端末１２０ａおよび１２０ｂの設計のブロック図を示し、それらは、図１の無線ネットワーク１００の２つの端末である。この設計において、端末１２０ａは、Ｕ個のアンテナ１１３４ａ乃至１１３４ｕを装備し、端末１２０ｂは、Ｖ個のアンテナ１１５２ａ乃至１１５２ｖを装備し、概してＵ≧１かつＶ≧１である。
【００７３】
端末１２０ａで、送信プロセッサ１１２０は、データソース１１１２からデータを、制御装置／プロセッサ１１４０から制御情報を、受け取ることができる。制御情報は、ピア発見信号で送るための情報、ページング信号で送るための情報、等を含むことができる。送信プロセッサ１１２０は、データおよび制御情報を処理（たとえば、符号化、インターリーブ、および変調）することができ、それぞれデータシンボルおよび制御シンボルを供給することができる。送信（ＴＸ）多入力多出力（ＭＩＭＯ）プロセッサ１１３０は、該当する場合、データシンボル、制御シンボル、および／またはパイロットシンボルの空間処理（たとえば、プリコーディング）を行なうことができ、Ｕ個の変調器（ＭＯＤ）１１３２ａ乃至１１３２ｕにＵ個の出力シンボルストリームを供給することができる。各変調器１１３２は、出力サンプルストリームを得るために、（たとえば、ＯＦＤＭ、ＳＣ−ＦＤＭ、等の）各出力シンボルストリームを処理することができる。各変調器１１３２は、無線周波（ＲＦ）信号を得るために、出力サンプルストリームをさらに処理（たとえば、アナログ変換、増幅、フィルタリング、およびアップコンバート）することができる。変調器１１３２ａ乃至１１３２ｕからのＵ個のＲＦ信号は、それぞれ、Ｕ個のアンテナ１１３４ａ乃至１１３４ｕを介して送信されることができる。
【００７４】
端末１２０ｂで、アンテナ１１５２ａ乃至１１５２ｖは、端末１２０ａからのＲＦ信号を受信することができ、復調器（ＤＥＭＯＤ）１１５４ａ乃至１１５４ｖにそれぞれ受信信号を供給することができる。各復調器１１５４は、受信サンプルを得るために、各受信信号を調整（たとえば、フィルタリング、増幅、ダウンコンバート、およびデジタル化）することができる。各復調器１１５４は、受信シンボルを得るために、（たとえば、ＯＦＤＭ、ＳＣ−ＦＤＭ、等の）受信サンプルをさらに処理することができる。ＭＩＭＯ検出器１１５６は、すべてのＶ個の復調器１１５４ａ乃至１１５４ｖからの受信シンボルを得ることができ、該当する場合、受信シンボルのＭＩＭＯ検出を行なうことができ、検出シンボルを供給することができる。受信プロセッサ１１５８は、検出シンボルを処理（たとえば、復調、デインターリーブ、および復号）することができ、データシンク１１６０に復号データを供給することができ、制御装置／プロセッサ１１８０に復号された制御情報を提供することができる。
【００７５】
端末１２０ｂで、データソース１１６２からのデータおよび制御装置／プロセッサ１１８０からの制御情報は、送信プロセッサ１１６４によって処理されることができ、該当する場合、ＴＸ ＭＩＭＯプロセッサ１１６６によってプリコーディングされることができ、変調器１１５４によってさらに処理されることができ、アンテナ１１５２を介して送信されることができる。端末１２０ａで、端末１２０ｂからのＲＦ信号は、アンテナ１１３４によって受信されることができ、復調器１１３２によって処理されることができ、該当する場合、ＭＩＭＯ検出器１１３６によって検出されることができ、受信プロセッサ１１３８によってさらに処理されることができ、端末１２０ｂによって送信された復号データおよび制御情報を得ることができる。
【００７６】
各端末１２０は、たとえば、端末１２０ａの送信プロセッサ１１２０、ＴＸ ＭＩＭＯプロセッサ１１３０、および変調器１１３２を使用して、ピア発見信号、ページング信号、および／または他の信号を生成および送信することができる。各端末１２０は、たとえば、端末１２０ｂの復調器１１５４、ＭＩＭＯ検出器１１５６、および受信プロセッサ１１５８を使用して、他の端末からのピア発見信号、ページング信号、および／または他の信号を受信することもできる。各端末１２０は、タイミングおよび／または同報情報、等を得るために、通信用の基地局および／または他の送信機局からの信号を受信および処理することもできる。各端末１２０は、上述したように、異なるタイプの信号に使用するための受信機利得設定を決定することができる。
【００７７】
制御装置／プロセッサ１１４０および１１８０は、それぞれ、端末１２０ａおよび１２０ｂでの動作を指示することができる。各端末のプロセッサおよび／またはモジュールは、図７のプロセス７００、図９のプロセス９００、および／または、ここに説明された技法のための他のプロセスを実行または指示することができる。メモリ１１４２および１１８２は、それぞれ、端末１２０ａおよび１２０ｂのためのデータおよびプログラムコードを記憶することができる。
【００７８】
当業者は、情報および信号が任意のさまざまな異なる技術および技法を使用して表され得るということを理解するであろう。たとえば、上記の説明を通して言及されうるデータ、命令、コマンド、情報、信号、ビット、シンボル、およびチップは、電圧、電流、電磁波、磁場または磁性粒子、光場または光粒子、またはそれらの任意の組み合わせによって表されることができる。
【００７９】
当業者は、ここでの開示に関連して説明された、さまざまな例示的な論理ブロック、モジュール、回路、およびアルゴリズムのステップが、電子ハードウェア、コンピュータソフトウェア、または両者の組み合わせとして実現されうるということを、さらに理解するであろう。ハードウェアとソフトウェアとの、この相互互換性をわかりやすく示すために、さまざまな例示的なコンポーネント、ブロック、モジュール、回路、およびステップが、概してそれらの機能の点で、上述されている。そのような機能がハードウェアまたはソフトウェアとして実現されるかどうかは、システム全体に課された特定の用途および設計の制約による。当業者は、特定の用途ごとに異なる方法で、説明された機能を実現することができるが、そのような実現の決定は、本開示の範囲から逸脱を生じるものと解釈されるべきではない。
【００８０】
ここでの開示に関連して説明された、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、離散ゲートまたはトランジスタ論理、離散ハードウェアコンポーネント、またはここに説明された機能を実行するように設計された、それらの任意の組合せを用いて、実現または実行されることができる。汎用プロセッサは、マイクロプロセッサであることができるが、あるいは、プロセッサは、任意の従来のプロセッサ、制御装置、マイクロ制御装置、またはステートマシンであることができる。プロセッサは、コンピュータデバイスの組み合わせ、例えば、ＤＳＰと、１つのマイクロプロセッサ、複数のマイクロプロセッサ、ＤＳＰコア併用型の１つ以上のマイクロプロセッサとの組み合わせ、または任意の他のそのような構成として実現されることもできる。
【００８１】
ここでの開示に関連して説明された方法またはアルゴリズムのステップは、ハードウェアで直接的に、プロセッサによって実行されるソフトウェアモジュールにおいて、または、両者の組み合わせにおいて、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体の中に存在することができる。例示的な記憶媒体は、プロセッサが記憶媒体から情報を読み出し、記憶媒体に情報を書き込むことができるように、プロセッサに結合される。あるいは、記憶媒体は、プロセッサに組み込まれることができる。プロセッサおよび記憶媒体は、ＡＳＩＣの中に存在することができる。ＡＳＩＣは、ユーザー端末の中に存在することができる。あるいは、プロセッサおよび記憶媒体は、ユーザー端末の中の離散コンポーネントとして存在することができる。
【００８２】
１つ以上の例示的な設計において、説明された機能は、ハードウェア、ソフトウェア、ファームウェア、またはそれらの任意の組み合わせにおいて実現されることができる。ソフトウェアにおいて実現される場合、機能は、コンピュータ可読媒体上の１つ以上の命令またはコードとして、記憶または伝送されることができる。コンピュータ可読媒体は、ある場所から別の場所へのコンピュータプログラムの転送を容易にする任意の媒体を含む通信媒体およびコンピュータ記憶媒体の両方を含む。記憶媒体は、汎用または専用コンピュータによってアクセス可能な任意の入手可能な媒体であることができる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または、汎用または専用コンピュータ、または、汎用または専用プロセッサによってアクセスされることができ、かつ、命令またはデータ構造の形態で所望のプログラムコード手段を搬送または記憶するために使用されることができる、任意の他の媒体を含むことができる。また、任意の接続も、厳密にはコンピュータ可読媒体と呼ばれる。たとえば、ソフトウェアが、同軸ケーブル、光ファイバーケーブル、ツイストペア、デジタル加入者回線（ＤＳＬ）、または、赤外線、無線、およびマイクロ波といった無線技術を使用して、ウェブサイト、サーバー、または他のリモートソースから伝送される場合には、同軸ケーブル、光ファイバーケーブル、ツイストペア、ＤＳＬ、または赤外線、無線、およびマイクロ波といった無線技術が、媒体の定義に含まれる。ディスク（disk）およびディスク（disc）は、ここに使用される場合、コンパクトディスク（disc）（ＣＤ）、レーザー（登録商標）ディスク（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は、通常、磁気的にデータを再生するが、ディスク（disc）は、レーザーによって光学的にデータを再生する。上記したものの組み合わせも、また、コンピュータ可読媒体の範囲内に含まれるべきである。
【００８３】
本開示の先の説明は、本開示を製造または使用することを当業者に可能にさせるように提供されている。本開示へのさまざまな変更が、当業者には容易に明らかになるであろうし、ここに定義された一般的な原理は、本開示の精神または範囲から逸脱することなく他の変形例に適用されることができる。したがって、本開示は、ここに説明された例および設計に限定されるものではなく、ここに開示された原理および新規な特徴と一致する最も広い範囲が与えられるべきである。
なお、本願の出願当初の請求項と同一の記載を以下に付記する。
［Ｃ１］第１の信号タイプのための第１の受信機利得設定を決定することと、
第１の時間間隔において前記第１の信号タイプの信号を受信するために前記第１の受信機利得設定を使用することと、
第２の信号タイプのための第２の受信機利得設定を決定することと、
第２の時間間隔において前記第２の信号タイプの信号を受信するために前記第２の受信機利得設定を使用することと
を含む、無線通信のための方法。
［Ｃ２］前記第１の信号タイプの前記信号は、ピア発見信号を含み、前記第２の信号タイプの前記信号は、ページング信号を含む、Ｃ１に記載の方法。
［Ｃ３］ピア端末を発見するために前記第１の時間間隔においてピア発見信号を検出することと、
前記第２の時間間隔において、以前に発見された端末からのページング信号を検出することと
をさらに含む、Ｃ２に記載の方法。
［Ｃ４］前記第１の受信機利得設定を前記決定することが、
少なくとも１つの以前の時間間隔における前記第１の信号タイプの前記信号の受信パワーレベルを測定することと、
前記第１の信号タイプの前記信号の前記測定受信パワーレベルおよびターゲットパワーレベルに基づいて前記第１の受信機利得設定を決定することと
を含む、Ｃ１に記載の方法。
［Ｃ５］前記第１の時間間隔中の前記第１の信号タイプの前記信号の合計受信パワーを測定することと、
前記第１の信号タイプの前記信号の前記合計受信パワーに基づいて前記第１の時間間隔中の受信機利得を調整することと
をさらに含む、Ｃ１に記載の方法。
［Ｃ６］前記第２の受信機利得設定を前記決定することが、複数の受信機利得設定を含む所定のパターンに基づいて前記第２の信号タイプの異なる時間間隔における異なる受信機利得設定を選択することを含む、Ｃ１に記載の方法。
［Ｃ７］現在の時間および前記第１の信号タイプの第１の周期的なパターンに基づいて前記第１の信号タイプのための前記第１の時間間隔を決定することと、
現在の時間および前記第２の信号タイプの第２の周期的なパターンに基づいて前記第２の信号タイプのための前記第２の時間間隔を決定することと
をさらに含む、Ｃ１に記載の方法。
［Ｃ８］第３の信号タイプのための第３の受信機利得設定を決定することと、
第３の時間間隔において前記第３の信号タイプの信号を受信するために前記第３の受信機利得設定を使用することと
をさらに含む、Ｃ１に記載の方法。
［Ｃ９］前記第３の信号タイプの前記信号からタイミング情報を得ることと、
前記タイミング情報に基づいて、前記第１および第２の信号タイプのために、それぞれ、前記第１および第２の時間間隔を決定することと
をさらに含む、Ｃ８に記載の方法。
［Ｃ１０］第１の信号タイプのための第１の受信機利得設定を決定するように、
第１の時間間隔において前記第１の信号タイプの信号を受信するために前記第１の受信機利得設定を使用するように、
第２の信号タイプのための第２の受信機利得設定を決定するように、かつ、
第２の時間間隔において前記第２の信号タイプの信号を受信するために前記第２の受信機利得設定を使用するように、
構成された少なくとも１つのプロセッサ
を含む、無線通信のための装置。
［Ｃ１１］前記第１の信号タイプの前記信号は、ピア発見信号を含み、前記第２の信号タイプの前記信号は、ページング信号を含む、Ｃ１０に記載の装置。
［Ｃ１２］前記少なくとも１つのプロセッサは、少なくとも１つの以前の時間間隔における前記第１の信号タイプの前記信号の受信パワーレベルを測定するように、かつ、前記第１の信号タイプの前記信号の前記測定受信パワーレベルおよびターゲットパワーレベルに基づいて前記第１の受信機利得設定を決定するように、構成されている、Ｃ１０に記載の装置。
［Ｃ１３］前記少なくとも１つのプロセッサは、複数の受信機利得設定を含む所定のパターンに基づいて前記第２の信号タイプの異なる時間間隔における異なる受信機利得設定を選択するように構成されている、Ｃ１０に記載の装置。
［Ｃ１４］少なくとも１つの以前の時間間隔における端末のセットの受信パワーレベルを測定することと、
前記端末のセットの前記測定受信パワーレベルに基づいて未来の時間間隔における前記端末のセットの予測受信パワーレベルを決定することと、
前記予測受信パワーレベルに基づいて前記未来の時間間隔での受信機利得設定を決定することと、
前記未来の時間間隔において前記端末のセットからの信号を受信するために前記受信機利得設定を使用することと
を含む、無線通信のための方法。
［Ｃ１５］少なくとも１つのフレームにおいて複数の端末からの信号を受信することであって、各フレームは複数の時間間隔を含み、各端末は異なるフレームにおける異なる時間間隔において送信し、前記異なる時間間隔はホッピング関数に基づいて選択される、ことと、
前記ホッピング関数および現在の時間の情報に基づいて前記複数の端末の中から前記端末のセットを決定することであって、前記端末のセットは前記未来の時間間隔において受信されることが予期される、ことと
をさらに含む、Ｃ１４に記載の方法。
［Ｃ１６］少なくとも１つのフレームにおいて複数の端末からの信号を受信することであって、各フレームは複数の時間間隔において複数のサブキャリアセットによって形成された複数のリソースブロックを含み、各端末は異なるフレームにおける異なるリソースブロックで送信し、前記異なるリソースブロックはホッピング関数に基づいて選択される、ことと、
前記ホッピング関数および現在の時間の情報に基づいて前記複数の端末の中から前記端末のセットを決定することであって、前記端末のセットは前記未来の時間間隔におけるリソースブロックで受信されることが予期される、ことと
をさらに含む、Ｃ１４に記載の方法。
［Ｃ１７］前記端末のフィルタリングされた受信パワーレベルを得るために複数の時間間隔にわたる前記セットの各端末の測定受信パワーレベルをフィルタリングすることをさらに含み、
前記端末のセットの前記予測受信パワーレベルは、前記端末のセットのフィルタリングされた受信パワーレベルに基づいて決定される、Ｃ１４に記載の方法。
［Ｃ１８］前記受信機利得設定を前記使用することが、
前記受信機利得設定に基づいて受信機利得を設定することと、
スケーリングされた信号を得るために前記受信機利得にしたがって受信信号をスケーリングすることと、
所定の範囲内に前記スケーリングされた信号を維持するために前記受信機利得を調整することと
を含む、Ｃ１４に記載の方法。
［Ｃ１９］前記受信機利得設定を前記決定することが、ターゲットパワーレベルにさらに基づいて前記未来の時間間隔での前記受信機利得設定を決定することを含む、Ｃ１４に記載の方法。
［Ｃ２０］前記未来の時間間隔中の前記端末のセットのための合計受信パワーを測定することと、
前記端末のセットのための前記合計受信パワーに基づいて前記未来の時間間隔中の受信機利得を調整することと
をさらに含む、Ｃ１４に記載の方法。
［Ｃ２１］前記受信機利得設定を前記使用することが、前記未来の時間間隔において前記端末のセットからのピア発見信号を受信するために前記受信機利得設定を使用することを含む、Ｃ１４に記載の方法。
［Ｃ２２］少なくとも１つの以前の時間間隔における端末のセットの受信パワーレベルを測定するように、
前記端末のセットの前記測定受信パワーレベルに基づいて未来の時間間隔における前記端末のセットの予測受信パワーレベルを決定するように、
前記予測受信パワーレベルに基づいて前記未来の時間間隔での受信機利得設定を決定するように、かつ、
前記未来の時間間隔において前記端末のセットからの信号を受信するために前記受信機利得設定を使用するように、
構成された少なくとも１つのプロセッサ
を含む、無線通信のための装置。
［Ｃ２３］前記少なくとも１つのプロセッサが、
少なくとも１つのフレームにおいて複数の端末からの信号を受信するように構成され、各フレームは複数の時間間隔において複数のサブキャリアセットによって形成された複数のリソースブロックを含み、各端末は異なるフレームにおける異なるリソースブロックで送信し、前記異なるリソースブロックはホッピング関数に基づいて選択され、
前記ホッピング関数および現在の時間の情報に基づいて前記複数の端末の中から前記端末のセットを決定するように構成され、前記端末のセットは前記未来の時間間隔におけるリソースブロックで受信されることが予期される、
Ｃ２２に記載の装置。
［Ｃ２４］前記少なくとも１つのプロセッサが、
前記受信機利得設定に基づいて受信機利得を設定するように、
スケーリングされた信号を得るために前記受信機利得にしたがって受信信号をスケーリングするように、かつ、
所定の範囲内に前記スケーリングされた信号を維持するように前記受信機利得を調整するように、
構成されている、Ｃ２２に記載の装置。
［Ｃ２５］前記少なくとも１つのプロセッサが、前記未来の時間間隔において前記端末のセットからのピア発見信号を受信するために前記受信機利得設定を使用するように構成されている、Ｃ２２に記載の装置。
［Ｃ２６］少なくとも１つの以前の時間間隔における端末のセットの受信パワーレベルを測定するための手段と、
前記端末のセットの前記測定受信パワーレベルに基づいて未来の時間間隔における前記端末のセットの予測受信パワーレベルを決定するための手段と、
前記予測受信パワーレベルに基づいて前記未来の時間間隔での受信機利得設定を決定するための手段と、
前記未来の時間間隔において前記端末のセットからの信号を受信するために前記受信機利得設定を使用するための手段と
を含む、無線通信のための装置。
［Ｃ２７］少なくとも１つのフレームにおいて複数の端末からの信号を受信するための手段であって、各フレームは複数の時間間隔において複数のサブキャリアセットによって形成された複数のリソースブロックを含み、各端末は異なるフレームにおける異なるリソースブロックで送信し、前記異なるリソースブロックはホッピング関数に基づいて選択される、手段と、
前記ホッピング関数および現在の時間の情報に基づいて前記複数の端末の中から前記端末のセットを決定するための手段であって、前記端末のセットは前記未来の時間間隔におけるリソースブロックで受信されることが予期される、手段と
をさらに含む、Ｃ２６に記載の装置。
［Ｃ２８］前記受信機利得設定を前記使用するための手段が、
前記受信機利得設定に基づいて受信機利得を設定するための手段と、
スケーリングされた信号を得るために前記受信機利得にしたがって受信信号をスケーリングするための手段と、
所定の範囲内に前記スケーリングされた信号を維持するように前記受信機利得を調整するための手段と
を含む、Ｃ２６に記載の装置。
［Ｃ２９］前記受信機利得設定を前記使用するための手段が、前記未来の時間間隔において前記端末のセットからのピア発見信号を受信するために前記受信機利得設定を使用するための手段を含む、Ｃ２６に記載の装置。
［Ｃ３０］少なくとも１つの以前の時間間隔における端末のセットの受信パワーレベルを測定するように、少なくとも１つのコンピュータにさせるためのコードと、
前記端末のセットの前記測定受信パワーレベルに基づいて未来の時間間隔における前記端末のセットの予測受信パワーレベルを決定するように、前記少なくとも１つのコンピュータにさせるためのコードと、
前記予測受信パワーレベルに基づいて前記未来の時間間隔での受信機利得設定を決定するように、前記少なくとも１つのコンピュータにさせるためのコードと、
前記未来の時間間隔において前記端末のセットからの信号を受信するために前記受信機利得設定を使用するように、前記少なくとも１つのコンピュータにさせるためのコードと
を含むコンピュータ可読媒体
を含むコンピュータプログラム製品。
【図１】
0005475013.tif 000010
【図２】
0005475013.tif 000011
【図３】
0005475013.tif 000012
【図４】
0005475013.tif 000013
【図５】
0005475013.tif 000014
【図６】
0005475013.tif 000015
【図７】
0005475013.tif 000016
【図８】
0005475013.tif 000017
【図９】
0005475013.tif 000018
【図１０】
0005475013.tif 000019
【図１１】
0005475013.tif 000020